(57)【要約】【課題】いつでもどこにでも持ち歩くことが容易であり且つ種々の環境下で使用できるカメラを提供する。【解決手段】カメラ１はカメラユニット２と電池ユニット３とが連結されて成る。カメラユニット２は撮像部４と表示部５と外部機器に画像データを出力するＵＳＢコネクタ６とを備え、電池ユニット３はＵＳＢコネクタ６を保護するコネクタ収納室７と撮像部４及び表示部５を駆動するための電池８とを備えている。電池ユニット３の紐取り付け孔２６に発泡スチロールを中空の組紐又は網紐で補強したフローティングストラップ２７を取り付け、これを首に掛けてカメラ１を円筒型のペンダントのように首から下げて持ち歩く。カメラユニット２は水中撮影用カメラユニットに交換が可能である。【選択図】      図１
2005164845.tif 000002
【特許請求の範囲】
【請求項１】
撮影レンズを有する撮像部と撮影画像を表示する表示部と外部機器に画像データを出力するコネクタとを有するカメラユニットと、
前記コネクタを保護するコネクタ収納室と前記撮像部及び前記表示部を駆動するための電池とを有して前記カメラユニットに対し着脱自在に連結される電池ユニットと、
を備えることを特徴とするカメラ。
【請求項２】
前記カメラユニットは、前記電池ユニットとの連結を解除されて前記コネクタを介し前記外部機器に接続されたとき該外部機器より電力を供給されて該外部機器に画像データを出力する、ことを特徴とする請求項１記載のカメラ。
【請求項３】
前記撮像部と前記表示部とはそれぞれ別体の筐体に配設され、両筐体は回動可能に且つ電気的に連結され、いずれか一方の前記筐体に前記コネクタを有し、該コネクタを有する前記筐体が前記電池ユニットと連結することを特徴とする請求項１記載のカメラ。
【請求項４】
前記表示部が配設された筐体の、
一方の側に、前記撮像部が配設された筐体が連結され、
他方の側に、前記コネクタが設けられている、
ことを特徴とする請求項３記載のカメラ。
【請求項５】
前記電池ユニットに対し前記カメラユニットと交換に排他的に連結される水中撮影用カメラユニットを更に有することを特徴とする請求項１記載のカメラ。
【請求項６】
前記水中撮影用カメラユニットは、撮像部と、前記カメラユニットの表示部よりも大きな表示面を有する表示部と、撮影用ストロボと、を一体に備えることを特徴とする請求項５記載のカメラ。
【請求項７】
前記電池ユニットは、フローティングストラップを取り付けられていることを特徴とする請求項１、２、３又は５記載のカメラ。
【請求項８】
前記カメラユニットの前記表示部は、該表示部が配設される前記筐体の曲面状に形成された外観面に沿った曲面形状の表示面を有することを特徴とする請求項１、２又は３記載のカメラ。
【請求項９】
前記電池ユニットは、防水手段を介して前記カメラユニットに連結されることを特徴とする請求項１、２又は３記載のカメラ。
【請求項１０】
前記電池ユニットは、前記コネクタ収納室を取り囲むように前記電池を配置されていることを特徴とする請求項１、２又は３記載のカメラ。
【請求項１１】
撮影レンズを有する撮像部を具える第１のブロックと、
該第１のブロックと相対的に回動可能に連結され、撮影画像を表示する表示部と外部機器に画像データを出力するコネクタとを具える第２のプロックと、
該第２のブロックに着脱自在に連結され、前記コネクタを保護するコネクタ収納室と前記撮像部及び前記表示装置を駆動するための電池とを有する第３のブロックと、
を備えたことを特徴とするカメラ。
【請求項１２】
前記第１、第２及び第３のブロックは、順次連結されて一体化され両端が略半球状となる縦長の形状に構成され、前記第１のブロックが上にされた状態で通常状態の撮影がなされることを特徴とする請求項１１記載のカメラ。
【請求項１３】
前記第１のブロックは、前記第２のブロックに対し、撮影レンズ光軸に平行な面内で回動することを特徴とする請求項１２記載のカメラ。
【発明の詳細な説明】
【技術分野】
【０００１】
本発明は、持ち運びの利便性が高く異なる環境下で使用できる小型カメラに関する。
【背景技術】
【０００２】
従来、カメラが広く一般に普及するようになってから久しいが、近年カメラに対する市場の要求は、高いレンズ性能、多様な機能、低価格など様々なものがある。その中でも、いつでもどこにでも容易に持ち歩ける携帯性の高いカメラへの要求は極めて高い。
このような携帯性に関しては、折り畳み型として使用時には握り易いように開成し、携帯時にはポケットに入れ易いように折り畳んで小型化するというカメラが提案されている。（例えば、特許文献１参照）。
【０００３】
また、携帯性をより一層向上させるために、首からぶらさげることが容易な形態のペンダント型カメラが提案されている。（例えば、特許文献２参照）。
また、デジタルカメラがフイルムを使用しないことに着目して、デジタルカメラを撮影部、電源部、及び記録媒体部の各機能部別に独立したユニットに構成し、適宜状況に応じて必要なユニットを組み合わせて使用するようにし、その撮影部ユニットをパーソナルコンピュータのコネクタに直接接続し、パーソナルコンピュータ側に制御をさせて画像データをパーソナルコンピュータに記録させるようにしたシステムも提案されている。（例えば、特許文献３参照）。
【特許文献１】特開２００１−１５２５６４号公報（［要約］、図１〜図４）
【特許文献２】特開２００１−１０３３５７号公報（［要約］、図１、図５）
【特許文献３】特開平０９−１３９８７７号公報（［要約］、図１、図８）
【発明の開示】
【発明が解決しようとする課題】
【０００４】
ところで、一般にカメラというものは、いつでもどこにでも身に付けて持ち歩くことができるような軽便性があり、塵や埃の多い環境や水中でも使えるように使用環境を選ばず且つ使い勝手が良いものであることが望まれる。
しかしながら、特許文献１及び２のカメラは、身に付けて持ち歩き易くはなっているとはいっても、その形態を見るに、いつでもどこにでも身に付けて持ち歩くには形状の点でも大きさの点でも不十分である。また、環境に対する配慮は特になされていないという点にも問題がある。
【０００５】
また、特許文献３のカメラは、各部をユニット化している点に新規さがあるようではあるが、身に付けて持ち歩くに便利な形態にはなっていないという点に問題がある。
本発明の課題は、上記従来の実情に鑑み、いつでもどこにでも持ち歩くことが容易であり且つ種々の環境下で使用できるカメラを提供することである。
【課題を解決するための手段】
【０００６】
先ず、第１の発明のカメラは、撮影レンズを有する撮像部と撮影画像を表示する表示部と外部機器に画像データを出力するコネクタとを有するカメラユニットと、上記コネクタを保護するコネクタ収納室と上記撮像部及び上記表示部を駆動するための電池とを有して上記カメラユニットに対し着脱自在に連結される電池ユニットと、を備えて構成される。
【０００７】
上記カメラユニットは、例えば上記電池ユニットとの連結を解除されて上記コネクタを介し上記外部機器に接続されたとき該外部機器より電力を供給されて該外部機器に画像データを出力するように構成される。
そして、このカメラは、例えば上記撮像部と上記表示部とはそれぞれ別体の筐体に配設され、両筐体は回動可能に且つ電気的に連結され、いずれか一方の上記筐体に上記コネクタを有し、該コネクタを有する上記筐体が上記電池ユニットと連結するように構成される。
【０００８】
また、このカメラは、例えば上記表示部が配設された筐体の、一方の側に、上記撮像部が配設された筐体が連結され、他方の側に、上記コネクタが設けられて構成される。
また、このカメラは、例えば上記電池ユニットに対し上記カメラユニットと交換に排他的に連結される水中撮影用カメラユニットを更に有して構成される。
【０００９】
この場合、上記水中撮影用カメラユニットは、例えば撮像部と、上記カメラユニットの表示部よりも大きな表示面を有する表示部と、撮影用ストロボと、を一体に備えて構成されることが好ましい。
また、このカメラにおいて、上記電池ユニットには、例えばフローティングストラップが取り付けられる。
【００１０】
また、上記カメラユニットの上記表示部は、例えば該表示部が配設される上記筐体の曲面状に形成された外観面に沿った曲面形状の表示面を有して構成される。
また、このカメラにおいて、上記電池ユニットは、例えば防水手段を介して上記カメラユニットに連結されるように構成される。
【００１１】
また、上記電池ユニットは、例えば上記コネクタ収納室を取り囲むように上記電池を配置されるように構成される。
次に、第２の発明のカメラは、撮影レンズを有する撮像部を具える第１のブロックと、該第１のブロックと相対的に回動可能に連結され、撮影画像を表示する表示部と外部機器に画像データを出力するコネクタとを具える第２のプロックと、該第２のブロックに着脱自在に連結され、上記コネクタを保護するコネクタ収納室と上記撮像部及び上記表示装置を駆動するための電池とを有する第３のブロックと、を備えて構成される。
【００１２】
上記第１、第２及び第３のブロックは、例えば順次連結されて一体化され両端が略半球状となる縦長の形状に構成され、上記第１のブロックが上にされた状態で通常状態の撮影がなされるように構成される。
上記第１のブロックは、例えば上記第２のブロックに対し、撮影レンズ光軸に平行な面内で回動するように構成される。
【発明の効果】
【００１３】
本発明によれば、いつでもどこにでも持ち歩くことが容易であり且つ種々の環境下で使用できるカメラを提供することが可能となる。
【発明を実施するための最良の形態】
【００１４】
以下、本発明の実施の形態を図面を参照しながら説明する。
【実施例１】
【００１５】
図１(a) 〜(f) は、第１の実施例としてのカメラの構成を示す図である。尚、同図(a) はカメラの正面図であり、一部を切り欠いて内部を同図(b) のＡ−Ａ断面矢視図で示している。また、同図(b) は同図(a) のＣ−Ｃ断面矢視図であり、同図(c) は同図(a) のＢ−Ｂ断面矢視図である。また、同図(d) はカメラの背面図であり、ストラップも共に示している。また、同図(e) は同図(a) の右側面図であり、上部全体を同図(a) のＥ−Ｅ断面矢視図で示し、下部の一部を同図(a) のＦ−Ｆ断面矢視図で示している。また、同図(f) は同図(e) のＤ−Ｄ断面矢視図である。
【００１６】
同図(a) 〜(f) に示すように、本例のカメラ１は、カメラユニット２と、このカメラユニット２に対し着脱自在に連結される電池ユニット３とから成る。一方のカメラユニット２は、撮影レンズを有する撮像部４と撮影画像を表示する表示部５と外部機器に画像データを出力するＵＳＢコネクタ６とを備えている。他方の電池ユニット３は、ＵＳＢコネクタ６を覆って保護するコネクタ収納室７と撮像部４及び表示部５を駆動するための電池８とを備えている。
【００１７】
上記カメラユニット２の撮像部４と表示部５とは、それぞれ別体の上部筐体９と中部筐体１１し配設されている。上部筐体９は円筒の上端が半球状の天井部で覆われ下端部に円板状の底面を有し全体が外部から密封されている。また、中部筐体１１は円筒の上端が円板状の天井を形成し下端には上述したＵＳＢコネクタ６を備えている。
【００１８】
この上部筐体９及び中部筐体１１は、上部筐体９の下端部の円板状の底面と中部筐体１１の上端の円板状の天井とが水平な面で係合し、この係合部により、図１(a) 〜(f) に示す基準状態から１８０度回動可能に相互連結されている。また、この連結面に露出する摺接電極により電気的にも連結されて相互一体に構成されている。
【００１９】
一般的に言えば、このカメラユニット２は、上記いずれか一方の筐体（本例では中部筐体１１）にＵＳＢコネクタ６を有し、このＵＳＢコネクタ６を有する中部筐体１１が電池ユニット３と連結するように構成されている。
換言すれば、このカメラ１は、表示部５が配設された中部筐体１１の、一方の側に撮像部４が配設された上部筐体９が連結され、他方の側にＵＳＢコネクタ６が設けられているということができる。
【００２０】
更に詳しく内部を説明すると、上記のカメラユニット２の上部筐体９には、その前面に透明なレンズ窓１２が設けられており、その内部には鏡枠１３と撮像基板１４とを有する撮像部４が配設されている。鏡枠１３には、前方のレンズ窓１２側に複数のレンズ１５が配置され、後方の撮像基板１４側にＣＣＤ(charge coupled device)から成る撮像素子１６が配置されている。
【００２１】
また、カメラユニット２の中部筐体１１には、その背面に円筒の周面に一致する曲面の透明の表示窓１７が設けられ、その内部には、表示窓１７の内側曲面に沿って配置された表示装置１８が配設されている。
このように表示装置１８は、表示窓１７の曲面に沿った曲面形状の表示面を有するので平面よりも表示面積を大きく取ることができ、広い画面表示を行うことができる。
【００２２】
また、中部筐体１１の内部前方１／２の領域には、後方に主基板１９が配置され、前方に電源基板２１とトランスから成る充電部２２が配置されている。また、中部筐体１１の前面下部には、円周面に沿って横長に湾曲したレリースボタン２３が配置されている。また、この中部筐体１１と上部筐体９の連結面の周囲に沿ってリング状の防水パッキン２４が介装されている。
【００２３】
このカメラユニット２と連結され、カメラユニット２のＵＳＢコネクタ６を保護すると共にカメラユニット２に電力を供給する電池ユニット３を構成している下部筐体２５は、カメラユニット２と同形の円筒状で下部がほぼ半球を成し、その頂点（図で下端部）に紐取り付け孔２６が形成されている。
【００２４】
この紐取り付け孔２６には、同図(d) の背面図に示すように、例えば発泡スチロールを中空の組紐又は網紐で補強した形状のフローティングストラップ２７が取り付けられる。これにより、カメラ１を、あたかも円筒型のペンダントのごとくに首からぶら下げることができ、持ち歩きが容易となると共に、万一水上に落とすようなことがあっても、フローティングストラップ２７の浮力によって、容易に手で取れる水面下にとどめ置くことができ、全体が水没して回収不能になるような不都合は生じない。
【００２５】
また、この電池ユニット３の下部筐体２５の背面上部には、円周面に沿って横長に湾曲した操作ボタン２８が配置されている。この操作ボタン２８の操作と表示装置１８の表示とにより、使用者は種々の設定を行うことができる。
この電池ユニット３の下部筐体２５と、カメラユニット２の中部筐体１１との連結部にも、リング状の防水パッキン２９が介装されている。
【００２６】
このように、上部筐体９、中部筐体１１、下部筐体２５それぞれの連結部に防水パッキン２４と２９が介装されているので、連結部からの埃、汗、水滴などの進入が防止されるので、種々の環境下で広く使用することができる。
また、電池ユニット３の下部筐体２５と、カメラユニット２の中部筐体１１との連結部では電池ユニット３側の接点３１と、カメラユニット２側の接続端子３２とが接触して、電気的に連結されるようになっている。
【００２７】
この電池ユニット３は、コネクタ収納室７を取り囲むように電池８をＵ字形に配置されているので、効率的に電池を収納することができる。尚、電池８の形状は、Ｕ字形と限ることなく、コネクタ収納室７を取り囲む形状であれば筒状、箱状など、どのような形であってもよい。コネクタ収納室７を取り囲む形状に構成すれば容量の大きな電池を収納することができる。電池８への充電は、中部筐体１１の充電部２２の外側の近接位置に充電トランスが位置するような対応充電器（不図示）により、非接触で充電が行われる。また、充電部２２を中部筐体１１ではなく、下部筐体２５に配設するようにしても良い。
【００２８】
このカメラ１のカメラユニット２は、電池ユニット３との連結を解除されてＵＳＢコネクタ６を介し、特には図示しないが例えばパーソナルコンピュータ或いはプリンタ等の外部機器に接続されたときは、一方ではそれらの外部機器よりＵＳＢコネクタ６を介して電力を供給され、他方では同じくＵＳＢコネクタ６を介して外部機器に対し撮像部４で撮影した画像データを出力するように構成されている。
【００２９】
このように、このカメラ１は、カメラユニット２から電池ユニット３を外せば、接続ケーブル不要で直接外部機器に接続でき、撮像部４で撮影した画像データの転送が簡単に出来るようになっている。
また、電池ユニット３との連結を解除してカメラユニット２をＵＳＢコネクタ６を介して外部機器と接続するとき以外、すなわちカメラユニット２と電池ユニット３とが連結されてカメラ１を構成しているときは、カメラユニット２のＵＳＢコネクタ６がコネクタ収納室７に覆われて保護されている。
【００３０】
また、撮像部４の上部筐体９と表示部５の中部筐体１１は、上述したように水平な連結面で１８０度回動可能に連結されているので、撮影方向と表示方向を自由に調整することができ、更に、外部機器との接続時にも、撮像部４を回動させることができるので何かと便利である。
【００３１】
また、このカメラ１の外観は、第１のブロックとしての撮像部４の上部筐体９と、第２のブロックとしての表示部５の中部筐体１１と、第３のブロックとしての電池ユニット３の下部筐体２５とが、順次連結されて一体化され、両端が略半球状となる縦長のカプセル形状に構成されている。したがって、フローティングストラップ２７を首に掛けてカメラ１を首にぶら下げたときは、第１のブロックである撮像部４がカプセル形状の下端部になるが、これを手に取って通常の状態で撮影を行うときは第１のブロックの撮像部４の上部筐体９がカプセル形状の上端部になって撮影がなされる。
【００３２】
また、第１のブロックである撮像部４の上部筐体９と第２のブロックである表示部５の中部筐体１１とは、上述したように連結面で１８０度回動するが、これを換言すれば、第１のブロックは第２のブロックに対し、撮影レンズの光軸Ｐ（図１(e) 参照）に平行な面内で回動するということになる。
【００３３】
図２は、上記表示部５の中部筐体１１と電池ユニット３の下部筐体２５との連結部を拡大して示す図である。尚、同図には、図１と同一構成部分には図１と同一の番号を付与して示している。また、中部筐体１１には要部のみを図示している。更に、下部筐体２５には、連結後のコネクタ収納室７におけるＵＳＢコネクタ６の配置を破線で示している。
【００３４】
図２に示すように、電池ユニット３の下部筐体２５には、上端部外周面に形成されているリング状の段差部外側に上述した防水パッキン２９が介装された、そのリング状の段差部上面に、等間隔で３個の鉤型係合部材３３が配置されている。
鉤型係合部材３３は、段差部上面のリング形状に沿って円弧状の輪郭を有する立設部３４とこの立設部３４から外側横に突設された爪部３５からなる断面が鉤型の部材であり、爪部３５には、２個の図１(a) に示した接点３１が設けられている。つまり電池ユニット３の下部筐体２５には３個（係合部材３３）×２個（接点３１）、合計６個の接点３１が設けられている。
【００３５】
これに対する表示部５の中部筐体１１には、中部筐体１１の下端部内周面に沿って等間隔に、下端部内周面から横に突設された爪係合部材３６が設けられている。中部筐体１１のＵＳＢコネクタ６を、図の矢印Ｇで示すように、電池ユニット３の下部筐体２５に差し込んで、中部筐体１１の下端部が防水パッキン２９に接した状態で、中部筐体１１を下部筐体２５に対して所定の方向へ回動させると、爪係合部材３６が鉤型係合部材３３の爪部３５の下に入り込んで係合し中部筐体１１と下部筐体２５が機構的に連結される。
【００３６】
中部筐体１１には、上記の爪係合部材３６の上方に近接して、図１(a) に示した接続端子３２がそれぞれ配置されている。接続端子３２は、下方に突設された２個のピン３７を備えており、このピン３７が鉤型係合部材３３の接点３１にそれぞれ接触して、中部筐体１１と下部筐体２５が電気的に連結される。
【００３７】
図３は、上記カメラ１の全体ブロック図である。尚、同図には、図１及び図２の構成と同一機能部分には、図１及び図２と同一の番号を付与して示している。図３に示すように、撮像部４の撮像基板１４には撮像部（回路）３８と画像処理部（回路）３９が配設されている。
【００３８】
他方、表示部５の主基板１９には、ＣＰＵ４０と、このＣＰＵ４０にバス４１を介して接続された内蔵メモリ４２と、画像表示部４３が配設されている。また、バス４１には、上述したＵＳＢコネクタ６が接続されており、撮像部４の画像処理部３９が接続している。撮像部４で撮影された画像は画像処理部３９で画像データとして処理された後、ＣＰＵ４０の制御の下に、バス４１を介して内蔵メモリ４２に格納されると共に、画像表示部４３を介して図１に示した表示装置１８に表示される。
【００３９】
また、表示部５と電池ユニット３が切り離されて、表示部５のＵＳＢコネクタ６が外部ＰＣ（パーソナルコンピュータ）４４に接続されると、表示部５は外部ＰＣ４４から電力を供給されて動作し、内蔵メモリ４２に格納されていた画像データが外部ＰＣ４４に自動的に送信される。
【００４０】
尚、本例では、コネクタをＵＳＢコネクタ６として示しているが、これはコネクタの一例として示したものであって、コネクタはＵＳＢと限るものではない。例えばＩＥＥＥ−１３９４コネクタ等であってもよい。
また、本例では、メモリを内蔵メモリ４２としているが、メモリは内蔵と限るものではない。例えば着脱交換式のメモリであっても良い。また、電池８を電池ユニット３への内蔵型としているが、内蔵型と限ることなく、着脱交換式の電池としても良いことは勿論である。
【実施例２】
【００４１】
図４(a) は、第２の実施例としてのカメラの構成を示す正面図であり、同図(b) はその背面図、同図(c) は同図(b) の右側面図であり、一部を切り欠いて、同図(b) のＨ−Ｈ断面矢視図を示している。同図(a),(b),(c) に示すカメラ４５は、図１に示したカメラ１の標準のカメラユニットであるカメラユニット２に代えて、これと交換に排他的に水中撮影用カメラユニット４６を電池ユニット３に連結したものである。
【００４２】
図４(a),(b),(c) に示すように、水中撮影用カメラユニット４６は、図１の場合と同様の上１／２のカプセル形状の筐体の後端に、大きな表示装置４７を備えている。カプセル形状の筐体前面には、上部にレンズ窓４８を備え、下部にレリースボタン４９を備えている。
【００４３】
レンズ窓４８を備えたカプセル形状の筐体内部には、レンズ窓４８側から順次後方へ,レンズ５１、撮像素子５２、基板５３が配設されている。基板５３には、後述するように図１に示した主基板１９、電源基板２１と同様の回路が搭載されている。
また、上記の表示装置の表示面の反対側面つまりカメラ４５の前面側上方には、ストロボ窓５４が配設されており、ストロボ窓５４の背面にストロボ発光管５５が配置されている。
【００４４】
この、水中撮影用カメラユニット４６と電池ユニット３との連結部の構成は、図２に示した構成と同一である。
図５は、この第２の実施例におけるカメラ４５の全体ブロック図である。同図に示すように、全体ブロック図で見れば、第１の実施例におけるカメラ１の全体ブロック図の撮像部４と表示部５とが水中撮影用カメラユニット４６として一体化され、これにストロボ部５５が加えられただけが異なる構成となっている。
【００４５】
このカメラ４５の構成に変更すると、表示装置４７の表示画面が大きいので、画像の見にくい水中内でも画像の視認性が良くなって便利である。また、ストロボ付なので暗い水中でも適切な露出が可能となる。
このように、標準のカメラユニット２を、付属の水中撮影用カメラユニット４６に付け替えるだけで、水中でも適切な撮影が可能になり、環境に応じた使い分けができるようになる。
【図面の簡単な説明】
【００４６】
【図１】(a) 〜(f) は第１の実施例としてのカメラの構成を示す図である。
【図２】第１の実施例のカメラの表示部の中部筐体と電池ユニットの下部筐体との連結部を拡大して示す図である。
【図３】第１の実施例のカメラの全体ブロック図である。
【図４】(a),(b),(c) は第２の実施例としてのカメラの構成を示す図である。
【図５】第２の実施例のカメラの全体ブロック図である。
【符号の説明】
【００４７】
１      本例のカメラ
２      カメラユニット
３      電池ユニット
４      撮像部
５      表示部
６      ＵＳＢコネクタ
７      コネクタ収納室
８      電池
９      上部筐体
１１    中部筐体
１２    レンズ窓
１３    鏡枠
１４    撮像基板
１５    レンズ
１６    撮像素子
１７    表示窓
１８    表示装置
１９    主基板
２１    電源基板
２２    充電部
２３    レリースボタン
２４    防水パッキン
２５    下部筐体
２６    紐取り付け孔
２７    フローティングストラップ
２８    操作ボタン
２９    防水パッキン
３１    接点
３２    接続端子
３３    鉤型係合部材
３４    立設部
３５    爪部
３６    爪係合部材
３７    ピン
３８    撮像部（回路）
３９    画像処理部（回路）
４１    バス
４２    内蔵メモリ
４３    画像表示部
４５    カメラ
４６    水中撮影用カメラユニット
４７    表示装置
４８    レンズ窓
４９    レリースボタン
５１    レンズ
５２    撮像素子
５３    基板
５４    ストロボ窓
５５    ストロボ発光管
【図１】
2005164845.tif 000003
【図２】
2005164845.tif 000004
【図３】
2005164845.tif 000005
【図４】
2005164845.tif 000006
【図５】
2005164845.tif 000007